(57)【要約】【課題】本体の圧力損失を低減し、大風量においても高加湿効率を維持することによって、低騒音かつ加湿量の増加を図ることができる加湿装置を提供する。【解決手段】送風手段４の下流側に２分岐した第１加湿流路７Ａと第２加湿流路７Ｂを有し、これらの加湿流路７Ａ，７Ｂにそれぞれ第１加湿フィルター６Ａと第２加湿フィルター６Ｂを配置したことにより、吸込口１より吸込まれた室内空気は、送風手段４の吐出側で２分岐されて第１加湿フィルター６Ａならびに第２加湿フィルター６Ｂに通過するため、通過面積が拡大され圧力損失が下がり低騒音することができるとともに、加湿フィルターの通過風速を相対的に低下させて、各加湿フィルター６Ａ，６Ｂに含まれた水分を十分気化することができ、加湿量を大幅に増加することができる。【選択図】図１
2008070047.tif 000002
【特許請求の範囲】
【請求項１】
本体に設けた吸込口と吹出口を連通し形成される空気流路と、この空気流路内に設けた送風手段と、この送風手段の下流側に２分岐した加湿流路を有し、この加湿流路に加湿フィルターをそれぞれ配置してなる加湿装置。
【請求項２】
２分岐した加湿流路にそれぞれ吹出口を設けてなる請求項１記載の加湿装置。
【請求項３】
加湿流路に配置した加湿フィルターを水平方向の回転軸に回転可能に軸支される中空円筒形状とした請求項１記載の加湿装置。
【請求項４】
加湿流路に配置した各々の加湿フィルターは、相互に逆方向に回転してなる請求項３記載の加湿装置。
【請求項５】
各々の加湿フィルターの回転軸と送風手段の遠心ファンの回転軸をともに水平方向に設けるとともに、前記加湿フィルターと前記送風手段の回転軸をお互い直行する配置とした請求項３または４記載の加湿装置。
【請求項６】
各々の加湿フィルター間の略中央に送風手段の吐出部を配した請求項１記載の加湿装置。
【請求項７】
送風手段の吐出部の直下に水槽部の水位より高く突出する分流凸部を形成した請求項６記載の加湿装置。
【請求項８】
送風手段の吐出部に加熱手段を設けた請求項１〜７のいずれかに記載の加湿装置。
【請求項９】
回転軸方向に長手寸法となる加湿フィルターと、各加湿流路に設けた前記加湿フィルターをすべて収納する水槽部を有し、この水槽部を前記加湿フィルターの回転軸と直交する方向に本体より着脱可能に設けた請求項３記載の加湿装置。
【請求項１０】
各々の加湿フィルターを回転する一対の駆動モーターを本体に設け、前記加湿フィルターの回転軸に設けた受動ギアを相互に反対方向に突出し、この受動ギアに対応する位置に、駆動ギアを備えた前記駆動モーターをそれぞれ配置してなる請求項３または９記載の加湿装置。
【請求項１１】
各々の加湿フィルターを回転させる１つの駆動モーターを本体に設け、前記加湿フィルターの回転軸に設けた受動ギアを同一方向に突出し、前記駆動モーターの回転軸に設けた駆動ギアの回転力を、前記受動ギアに伝達するための中間ギアを設けてなる請求項３または９記載の加湿装置。
【請求項１２】
本体に駆動ギアを設け、水槽部に加湿フィルターと中間ギアを設け、前記本体より水槽部を着脱可能に設けた請求項１１記載の加湿装置。
【発明の詳細な説明】
【技術分野】
【０００１】
本発明は、騒音を抑えつつ加湿量を増大できる、加湿フィルターを備えた加湿装置に関する。
【背景技術】
【０００２】
従来、この種の加湿装置の一例として、加湿フィルターの表面形状や積層方法を工夫して加湿量を増加するようにした加湿装置が知られている（例えば、特許文献１参照）。
【０００３】
以下、その加湿装置について図６および図７を参照にしながら説明する。
【０００４】
図６に示すように、フィルター枠１０１に取り付けられる加湿フィルター１０２は、その表面に多数の凸部１０３を形成して表面積を増やすことにより、加湿量を増やすように構成している。
【０００５】
また、図７に示すように、フィルター密度の異なる内周層１０４Ａと外周層１０４Ｂからなる加湿フィルター１０４を使用することにより、加湿フィルター１０４の加湿効率を高めて、加湿量を増やすように構成している。
【特許文献１】特開２００６−２００７６２号公報（［００２９］、［００３５］、図３、図８）
【発明の開示】
【発明が解決しようとする課題】
【０００６】
このような従来の加湿装置では、加湿フィルターの表面形状や積層方法を工夫して、加湿量をある程度は増加することはできるものの、送風量を増やして加湿量を増加させようとした場合は、加湿フィルターの通風抵抗が上がるため、騒音が増大するとともに、加湿フィルター面に通気量のアンバランスを生じて高い加湿効率を維持できないという課題があり、送風量を増加させる場合でも加湿フィルターの加湿効率を高い状態に維持することのできる加湿装置が要求されている。
【０００７】
また、従来の加湿装置では加湿フィルターの形状が複雑になり、加湿フィルターの種類が増えることもあり、製造コストが高くなるという課題があり、加湿フィルターの形状変更や種類の増加を伴なわずに、シンプルな構造で加湿量を増やすことが要求されている。
【０００８】
本発明は、上記課題を解決するもので、加湿フィルターの形状等を複雑にすることなく、騒音を抑えつつ加湿量を大幅に増大できる加湿装置を提供することを目的としている。
【課題を解決するための手段】
【０００９】
本発明の加湿装置は上記目的を達成するために、本体に設けた吸込口と吹出口を連通し形成される空気流路と、この空気流路内に設けた送風手段と、この送風手段の下流側に２分岐した加湿流路を有し、この加湿流路に加湿フィルターをそれぞれ配置したものである。
【００１０】
この手段により、騒音を抑えつつ加湿量を大幅に増大できる加湿装置が得られる。
【００１１】
また他の手段は、２分岐した加湿流路にそれぞれ連通する吹出口を設ける構成としたものである。
【００１２】
この手段により、加湿装置の吹出側の圧力損失を低減させることができるとともに、多面的に加湿空気を吹き出すことができる加湿装置が得られる。
【００１３】
また他の手段は、加湿フィルターを水平方向の回転軸により回転可能に軸支される中空円筒形状としたものである。
【００１４】
この手段により、加湿装置を長期間使用した場合でも、安定した加湿量を得ることができる加湿装置が得られる。
【００１５】
また他の手段は、加湿流路に設けた各々の加湿フィルターを相互に逆方向に回転させる構成としたものである。
【００１６】
この手段により、加湿フィルターに加わる風量および圧力損失を均等に分散して、加湿量を安定化できる加湿装置が得られる。
【００１７】
また他の手段は、加湿フィルターの回転軸と送風手段の回転軸をともに水平方向に設けるとともに、前記加湿フィルターと前記送風手段の回転軸をお互い直行する配置としたものである。
【００１８】
この手段により、各々の加湿フィルターへの送風量のバランスを保ち、デッドスペースを作ることがなく本体を小型化することができる加湿装置が得られる。
【００１９】
また他の手段は、各々の加湿フィルター間の略中央に送風手段の吐出部を配したものである。
【００２０】
この手段により、各々の加湿フィルターへの送風量のバランスを保ちつつ、加湿フィルターへ漏れなく通風することができる加湿装置が得られる。
【００２１】
また他の手段は、送風手段の吐出部の直下に水槽部の水位より高く突出する分流凸部を形成する構成としたものである。
【００２２】
この手段により、各々の加湿フィルターへの送風量のバランスを略均等に保つことができ、加湿フィルターへ円滑に通風させることができる加湿装置が得られる。
【００２３】
また他の手段は、送風手段の吐出部に加熱手段を設けたものである。
【００２４】
この手段により、さらに加湿量の増加を図ることのできる加湿装置が得られる。
【００２５】
また他の手段は、回転軸方向に長手寸法となる加湿フィルターと、各加湿流路に設けた前記加湿フィルターをすべて収納する水槽部を有し、この水槽部を前記加湿フィルターの回転軸と直交する方向に本体より着脱可能に設けたものである。
【００２６】
この手段により、加湿フィルターならびに水槽部を清掃するために水槽部を引き出す際に、水槽部の引き出し距離が短くなり、使用者の操作性を軽減することができる。
【００２７】
また他の手段は、各々の加湿フィルターを回転する一対の駆動モーターを本体に設け、前記加湿フィルターの回転軸に設けた受動ギアを相互に反対方向に突出し、この受動ギアに対応する位置に、駆動ギアを備えた前記駆動モーターをそれぞれ配置する構成としたものである。
【００２８】
この手段により、１つの加湿フィルターに対して１つの駆動モーターを対応させて、加湿フィルターを確実に駆動制御できるとともに、簡単な構成で水槽部を引き出すことができる加湿装置が得られる。
【００２９】
また他の手段は、各々の加湿フィルターを回転する１つの駆動モーターを本体に設け、前記加湿フィルターの回転軸に設けた受動ギアを同一方向に突出し、前記駆動モーターの回転軸に設けた駆動ギアの回転力を、前記受動ギアに伝達するための中間ギアを設けたものである。
【００３０】
この手段により、駆動モーターを１つにして製造コストを抑えるとともに、駆動モーターと各ギアの噛み合わせにより、２つの加湿フィルターの回転を確実に行なうことが可能となる加湿装置が得られる。
【００３１】
また他の手段は、本体に駆動ギアを設け、水槽部に加湿フィルターと中間ギアを設け、前記本体前面より水槽部を着脱可能に設けたものである。
【００３２】
この手段により、水槽部に加湿フィルターと中間ギアを設けて一体的に引き出すことができ、水槽部を本体より分離するときの操作性が容易となる加湿装置が得られる。
【発明の効果】
【００３３】
本発明によれば、加湿フィルターにおける圧力損失が低減し、加湿フィルターを通過する送風量が増加するため、高い加湿能力を発揮することができるため、低騒音で大容量の加湿を行なうことができる効果のある加湿装置を提供することができる。
【００３４】
また、各々の加湿フィルターへ供給する送風量を略均等に保ち、また気流方向も円滑に変更することにより、加湿効率を高めた加湿運転を安定して行うことができる。
【００３５】
また、回転する各々の加湿フィルターの保水状態を略同一にして通風することにより、加湿フィルターの加湿能力のバランスを保ちながら加湿運転をすることができる。
【００３６】
また、中空円筒形状とした加湿フィルターの下端部を水没させて水平方向に回転させ、フィルター面を２回通風することによって、不純物による加湿フィルターの目詰まりが解消され、長期間安定して加湿能力を発揮することができる。
【００３７】
また、複数の回転可能な加湿フィルターを水槽部に収納していても、水槽部を本体から容易に着脱することができる。
【発明を実施するための最良の形態】
【００３８】
本発明の請求項１記載の発明は、本体に設けた吸込口と吹出口を連通し形成される空気流路と、この空気流路内に設けた送風手段と、この送風手段の下流側に水槽を備え、かつ２分岐した加湿流路を有し、この加湿流路に加湿フィルターをそれぞれ配置したものであり、送風手段より吐出された送風空気は２分岐したのち、それぞれの加湿フィルターに供給されるので、従来に比べて通過面積が増大して圧力損失が低減され、騒音の発生が抑制されるとともに、加湿フィルターを通過する風速が低速となり、送風空気は十分に加湿されたのち吹出口より室内に供給されるという作用を有する。
【００３９】
また請求項２記載の発明は、２分岐した加湿流路にそれぞれ吹出口を設けたものであり、２分岐した加湿流路が途中で抵抗を受けずに２つの吹出口に直結しているため、加湿流路の圧力損失が低減されて加湿量を増加できるとともに、２つの吹出口から広範囲に、または室内の異なった方向へ加湿空気を吹出すことができるという作用を有する。
【００４０】
また請求項３記載の発明は、加湿フィルターを水平方向の回転軸に回転可能に軸支される中空円筒形状としたものであり、加湿フィルターが回転して水槽部の貯留水を通過するため、加湿フィルターの全表面に常に水分を含ませて空気を通過させることができるとともに、加湿フィルターの回転軸に直交する通風とすることにより、加湿フィルターの前後面で２回フィルター面を通過するため、湿度の高い加湿空気を安定的に供給できるという作用を有する。
【００４１】
また請求項４記載の発明は、加湿流路に設けた各々の加湿フィルターを相互に逆方向に回転させたものであり、各々の加湿フィルターの回転により加湿フィルター面に付着する水膜分布あるいは水滴分布が同様の分布となるため、各々の加湿フィルターへの圧力損失および通過風量が略均等となり、バランスの取れた加湿能力を発揮することができるという作用を有する。
【００４２】
また請求項５記載の発明は、各々の加湿フィルターの回転軸と送風手段の遠心ファンの回転軸をともに水平方向にするとともに、前記加湿フィルターと前記送風手段の回転軸をお互い直行する配置としたものであり、平行に配置した各々の加湿フィルターに送風手段となる遠心ファンから偏りなく通風できるとともに、各々の加湿フィルターの配置される投影面内に送風手段を収めることができ、本体を小型化することができるという作用を有する。
【００４３】
また請求項６記載の発明は、各々の加湿フィルター間の略中央に送風手段の吐出部を配したものであり、各々の加湿フィルターに風量が略均等に供給されるため、加湿フィルターにどちらかに負荷が偏ることがなく、バランスを保った加湿能力を安定して発揮することができるという作用を有する。
【００４４】
また請求項７記載の発明は、送風手段の吐出部の直下に水槽部の水位より高く突出する分流凸部を形成したものであり、送風手段から吐出された送風空気は分流凸部を通過するときに、方向変更しながらスムーズに２方向に分流されて、略同一風量が各々の加湿フィルターへ供給されるとともに、水槽部の中央付近が分断されるため、本体の移動時に水槽部の貯水の波立ちを抑制できるという作用を有する。
【００４５】
また請求項８記載の発明は、送風手段の吐出部に加熱手段を設けたものであり、送風手段より吐出される送風空気の温度を上昇させることで、加湿フィルターに含まれる水分を大量に蒸発させ、送風空気へ移動する水分量を増加させるととともに、蒸発熱を奪われて低下する加湿フィルターの温度を高めるという作用を有する。
【００４６】
また請求項９記載の発明は、回転軸方向に長手寸法となる加湿フィルターと、各加湿流路に設けた前記加湿フィルターをすべて収納する水槽部を有し、この水槽部を前記加湿フィルターの回転軸と直交する方向に本体より着脱可能に設けたものであり、加湿フィルターや水槽部を清掃するために水槽部を引き出すときに、水槽部の引き出し距離が短くなり清掃時の作業性が向上するという作用を有する。
【００４７】
また請求項１０記載の発明は、各々の加湿フィルターを回転する一対の駆動モーターを設け、前記加湿フィルターの回転軸に設けた受動ギアを相互に反対方向に突出し、この受動ギアに対応する位置に、駆動ギアを備えた前記駆動モーターをそれぞれ本体に配置したものであり、２つの同一仕様の受動ギア付き加湿フィルターを、２つの同一仕様の駆動ギア付き駆動モーターにより、水槽に反対向きに設置することによって相互に逆回転できるとともに、回転可能に設けた各々の加湿フィルターを水槽に収納した状態で、水槽を本体から容易に着脱できるという作用を有する。
【００４８】
また請求項１１記載の発明は、各々の加湿フィルターを回転させる１つの駆動モーターを本体に設け、前記加湿フィルターの回転軸に設けた受動ギアを同一方向に突出し、前記駆動モーターの回転軸に設けた駆動ギアの回転力を、前記受動ギアに伝達するための中間ギアを設けたものであり、１つの駆動モーターの駆動ギアに係合する受動ギアによって１つの加湿フィルターを回転させ、さらに中間ギアを介在して離れた他方の加湿フィルターを回転させることができるので、１つの駆動モーターで２つの加湿フィルターを回転させて駆動モーターの数を少なくできるとともに、駆動モーターや駆動ギアなどの回転用部材を１ヶ所に集めて、設置スペースが削減できるという作用を有する。
【００４９】
また請求項１２記載の発明は、本体に駆動ギアを設け、水槽部に加湿フィルターと中間ギアを設け、前記本体より水槽部を着脱可能に設けたものであり、複数の回転可能な加湿フィルターとともに中間ギアを水槽部に略一体に設けているので、水槽部を本体から着脱するときに、動力伝達機構は駆動モーターの駆動ギアと１つの加湿フィルターの受動ギアとの係脱のみの１カ所でできるので、簡単に取り扱いできるという作用を有する。
【００５０】
本発明のより具体的な実施の形態について図面を参照しながら説明する。
【００５１】
（実施の形態１）
図１および図２は加湿装置の概略断面図、図３は加湿装置の水槽部近傍における概略断面図を示す。
【００５２】
図１〜図３に示すように、加湿装置の本体３は吸込口１と吹出口２を連通する通風路７を有し、この通風路７には室内空気を吸込口１より本体３内へ流入させる送風手段４と、送風手段４の下向きの吐出口４Ａには送風空気を加熱する加熱手段５を備えている。吐出口４Ａの下流側は第１加湿流路７Ａと第２加湿流路７Ｂの左右２方向に分岐している。第１加湿流路７Ａには送風空気を加湿する第１加湿フィルター６Ａが配置され、第２加湿流路７Ｂには第２加湿フィルター６Ｂが配置され、第１加湿フィルター６Ａ、第２加湿フィルター６Ｂを通過した加湿空気は吹出口２から室内へ放出される。
【００５３】
水槽部９は、横長円筒形の第１加湿フィルター６Ａと第２加湿フィルター６Ｂを、水平方向の回転軸６Ｃを介して回転可能に支持するとともに、第１加湿フィルター６Ａ、第２加湿フィルター６Ｂを平行に配置している。また、水槽部９は給水タンク８から一定水位に給水されて、第１加湿フィルター６Ａ、第２加湿フィルター６Ｂの下端部を水没させている。さらに水槽部９は本体３の下部に着脱可能に設けられ、回転軸６Ｃに対して直交する方向に引き出すことができる。第１加湿フィルター６Ａおよび第２加湿フィルター６Ｂ間の略中央に位置して、水槽部９に分流凸部１０が立設されるとともに、分流凸部１０は先端を水槽部９の水位より上方に突出させている。
【００５４】
水槽部９の前方側に配置された第１加湿フィルター６Ａの回転軸６Ｃには第１受動ギア１３Ａが固定され、水槽部９の左側方に突出させている。第１駆動ギア１２Ａを駆動軸に固定した第１駆動モーター１１Ａは本体３に固定され、第１駆動ギア１２Ａと第１受動ギア１３Ａを接離可能に接続している。
【００５５】
また、水槽部９の後方側に配置された第２加湿フィルター６Ｂの回転軸６Ｃには第２受動ギア１３Ｂが固定され、水槽部９の右側方に突出させている。第２駆動ギア１２Ｂを駆動軸に固定した第２駆動モーター１１Ｂは本体３に固定され、第２駆動ギア１２Ｂと第２受動ギア１３Ｂを接離可能に接続している。
【００５６】
ここで、送風手段４は、吸込口１側と加熱手段５側にそれぞれ吸入口４Ｂと吐出口４Ａを有したファンケーシング４Ｃと、ファンケーシング４Ｃに収納される遠心羽根４Ｄと、この遠心羽根４Ｄに連結される送風モーター４Ｅを具備しており、送風モーター４Ｅの駆動によって遠心羽根４Ｄを回転させ、吸入口４Ｂより空気を吸込んで吐出口４Ａより空気を排出するものである。
【００５７】
また、加熱手段５は、ニクロムヒーターなどの電気ヒーターを使用するものであり、他にハロゲンヒーター、カーボンヒーター、シーズヒーター、ＰＴＣヒーター等を用いることができる。
【００５８】
また、第１加湿フィルター６Ａならびに第２加湿フィルター６Ｂは、従来例と同様に中空円筒状のフィルター濾材と、フィルター濾材を円筒形状に維持するフィルター枠とにより形成され、フィルター枠の設けた回転軸６Ｃを突出させている。なお、フィルター濾材は発泡ウレタン基材の表面にタルクとバインダーからなる溶液を含浸または塗布している。
【００５９】
また、第１加湿フィルター６Ａならびに第２加湿フィルター６Ｂは、回転軸６Ｃが水平方向でかつ送風手段４の回転軸と直行するように配している。さらに、２つの第１加湿フィルター６Ａ、第２加湿フィルター６Ｂ間の略中央に送風手段４の吐出口４Ａが対向するように配置されている。
【００６０】
上記構成において、給水タンク８から水槽部９へ給水され、第１加湿フィルター６Ａならびに第２加湿フィルター６Ｂの下端部が浸漬された状態で加湿装置を運転すると、送風手段４によって吸込口１より本体３内に導入された室内空気は、水槽部９の貯蓄水に浸されながら回転している第１加湿フィルター６Ａならびに第２加湿フィルター６Ｂを通過することによって加湿され、加湿された空気は、第１加湿流路７Ａならびに第２加湿流路７Ｂを経由して、吹出口２より室内へ吹き出されるものである。
【００６１】
ここで、吸込口１より導入された室内空気は、送風手段４の送風能力を従来と同一とした場合は、風路が第１加湿フィルター６Ａおよび第２加湿フィルター６Ｂへと分岐されるので、それぞれの第１加湿フィルター６Ａ、第２加湿フィルター６Ｂに風圧が分散され、圧力損失は大幅に低減されるので、送風手段４の送風効率が向上し、風量が増加するとともに、騒音を低減することができる。
【００６２】
また、第１加湿フィルター６Ａと第２加湿フィルター６Ｂ間の略中央に向けて、送風手段４の吐出口４Ａを配置しているため、吐出気流は略均等に各第１加湿フィルター６Ａ、第２加湿フィルター６Ｂに分散して流通されるので空気抵抗は低減して、各第１加湿フィルター６Ａ、第２加湿フィルター６Ｂへの通風量は増加し、加湿量も増加させることができる。
【００６３】
また、第１加湿フィルター６Ａおよび第２加湿フィルター６Ｂ間の略中央に位置して、水槽部９に分流凸部１０を水面より高く立設しているので、送風手段４からの吐出気流は分流凸部１０によって、第１加湿フィルター６Ａならびに第２加湿フィルター６Ｂへと、より抵抗が少なく整流化された形でスムーズに流通させることができる。
【００６４】
また、送風手段４の吐出部４Ａに加熱手段５を設けて、加熱手段５に通電して加湿運転する場合は、高温空気が第１加湿フィルター６Ａ、第２加湿フィルター６Ｂを通過する際に多量の加湿空気を発生させ、高湿度の気流が第１加湿流路７Ａならびに第２加湿流路７Ｂを通過して吹出口２より室内へ吹き出されるものである。よって、大量かつ高湿度の加湿気流を供給することができるとともに、蒸発熱を奪われて低下する加湿フィルターの温度を高め、さらに吹出口２から室内に吹き出される大量の加湿空気の温度を上げて、室温が低下しないようにすることができる。
【００６５】
また、加熱空気が通風される加湿フィルターは、水中に含まれるＭｇイオンやＣａイオンの化合物が付着して空気中で固形化しやすくなるが、回転する加湿フィルター面を表面から裏面へ、次に裏面から表面へと２回通風するので、加湿フィルター面へ付着し難くなり、さらに加湿フィルターが水槽部９の貯留水に水没して通過するときに、洗い流されることになり、加湿フィルターに化合物が堆積しないようにして、長期間にわたり安定した加湿量を得ることができる。
【００６６】
また、第１加湿フィルター６Ａ、第２加湿フィルター６Ｂを回転軸６Ｃ方向に長手寸法に形成し、水槽部９に第１加湿フィルター６Ａ、第２加湿フィルター６Ｂを収納する加湿流路７Ａ、７Ｂの一部を形成している。ここで水槽部９を第１加湿フィルター６Ａ、第２加湿フィルター６Ｂの回転軸６Ｃと直交する方向に引き出せるようにして、本体３より着脱可能とすることにより、水槽部９を本体３から着脱するための移動距離を短くすることができる。さらに、水槽部９の引き出し方向を、本体３のスイッチ操作部（図示せず）となる正面方向に合わせることにより、本体３の正面方向に引き出せるので、使用者は各第１加湿フィルター６Ａ、第２加湿フィルター６Ｂや水槽部９を清掃するときに、水槽部９を着脱する作業を本体３の正面側から楽に行うことができる。
【００６７】
また、第１加湿フィルター６Ａ、第２加湿フィルター６Ｂを回転する一対の第１駆動モーター１１Ａ、第２駆動モーター１１Ｂを設け、第１加湿フィルター６Ａ、第２加湿フィルター６Ｂの回転軸６Ｃに設けた第１受動ギア１３Ａ、第２受動ギア１３Ｂを相互に反対方向に突出し、この第１受動ギア１３Ａ、第２受動ギア１３Ｂに対応する位置に、第１駆動ギア１２Ａ、第２駆動ギア１２Ｂを備えた第１駆動モーター１１Ａ、第２駆動モーター１１Ｂをそれぞれ本体３に配置するようにしている。これにより各第１駆動モーター１１Ａ、第２駆動モーター１１Ｂにそれぞれ接続して回転される第１加湿フィルター６Ａと第２加湿フィルター６Ｂは相互に逆方向に回転して、加湿フィルターの水分付着状態が、送風手段４の吐出部４Ａより２分岐した送風気流に対して略同一となるため、略同一条件で加湿することができ、安定した加湿運転を行うことができる。さらに水槽９を移動して引き出すときに、第１受動ギア１３Ａ、第２受動ギア１３Ｂと第１駆動ギア１２Ａ、第２駆動ギア１２Ｂをそれぞれ接離可能とすることができるので、各々の第１加湿フィルター６Ａ、第２加湿フィルター６Ｂを水槽９に収納した状態で、水槽９を本体３から容易に着脱することができる。また、第１駆動ギア１２Ａと第２駆動ギア１２Ｂを同一形状に、第１受動ギア１３Ａと第２受動ギア１３Ｂを同一形状にできるため、各ギアに関する金型コストを削減することができる。
【００６８】
（実施の形態２）
図４は加湿装置の概略断面図、図５は加湿装置の水槽部の透視側面図を示す。
【００６９】
図４および図５に示すように、本体３の天面に第１吹出口２１Ａと第２吹出口２１Ｂを設け、第１加湿流路７Ａは第１吹出口２１Ａと直結し、第２加湿流路７Ｂは第２吹出口２１Ｂと直結して、それぞれ独立して連通している。したがって第１加湿流路７Ａと第２加湿流路７Ｂが途中で合流することがないので、乱流の発生による圧力損失の増加や風速低下を防止することができ、第１吹出口２１Ａ，第２吹出口２１Ｂより高速で加湿空気を室内に吹き出すことができる。
【００７０】
また、第１吹出口２１Ａと第２吹出口２１Ｂの配置を、本体３の天面の両端側に配置することにより、本体３からの吹き出し範囲が広がり、加湿気流を速やかに室内の広範囲に拡散することができる。
【００７１】
また、各々の第１加湿フィルター６Ａ、第２加湿フィルター６Ｂを回転させる１つの駆動モーター２２を本体３に設け、第１加湿フィルター６Ａ、第２加湿フィルター６Ｂの回転軸６Ｃに設けた第１受動ギア１３Ａ、第２受動ギア１３Ｂを同一方向に突出し、駆動モーター２２の回転軸に設けた駆動ギア２３の回転力を、第１受動ギア１３Ａ、第２受動ギア１３Ｂに伝達するための中間ギア２４Ａ，２４Ｂを設けているため、１つの駆動モーター２２の駆動ギア２３に係合する受動ギア１３Ｂによって１つの加湿フィルター６Ｂを回転させ、さらに中間ギア２４Ａ，２４Ｂを介在して離れた他方の加湿フィルター６Ａを回転させることができるので、１つの駆動モーター２２で２つの第１加湿フィルター６Ａ、第２加湿フィルター６Ｂを回転させて駆動モーター２２の数を少なくできるとともに、駆動モーター２２、駆動ギア２３、第１受動ギア１３Ａ、第２受動ギア１３Ｂおよび中間ギア２４Ａ，２４Ｂなどの回転用部材を本体３内の１ヶ所に集めることにより、設置スペースを削減することができる。
【００７２】
また、本体３に駆動ギア２３を備えた駆動モーター２２を設け、水槽部９に第１受動ギア１３Ａ、第２受動ギア１３Ｂを備えた第１加湿フィルター６Ａ、第２加湿フィルター６Ｂと中間ギア２４Ａ，２４Ｂを設けている。
【００７３】
また、駆動モーター２２の駆動ギア２３と水槽部９に受動ギア１３Ｂとを接離可能とすることにより、本体３より水槽部９を着脱可能に設けている。このことにより、複数の回転可能な第１加湿フィルター６Ａ、第２加湿フィルター６Ｂとともに中間ギア２４Ａ，２４Ｂを水槽部９に略１体に設けているので、第１加湿フィルター６Ａ、第２加湿フィルター６Ｂと水槽部９内部を清掃するために、水槽部９を本体３から着脱するときに、動力伝達機構は駆動モーター２２の駆動ギア２３と１つの加湿フィルターの受動ギア１３Ｂとの係脱のみの１カ所でできるので、使用者にとって水槽部９の着脱操作を簡単に行うことができる。
【産業上の利用可能性】
【００７４】
本発明は、加湿フィルターにおける圧力損失を低減しつつ、通風量大にして高い加湿能力を発揮することができるので、低騒音かつ大容量の加湿能力を要求される会議室やオープンフロアなどの業務用の加湿装置、あるいは湿度を安定的に維持する必要のある産業用の加湿装置として有用である。
【図面の簡単な説明】
【００７５】
【図１】本発明の実施の形態１における加湿装置の側断面図
【図２】（イ）同水槽部の加湿フィルターの取付状態を示す側面模式図、（ロ）同水槽部の加湿フィルターの取付状態を示す平面図
【図３】同加湿装置の正面透視図
【図４】同実施の形態２における加湿装置の側断面図
【図５】（イ）同水槽部の加湿フィルターの取付状態を示す側面模式図、（ロ）同水槽部の加湿フィルターの取付状態を示す平面図
【図６】従来の加湿機における加湿フィルターの分解斜視図
【図７】同加湿フィルターの概略断面図
【符号の説明】
【００７６】
１      吸込口
２      吹出口
３      本体
４      送風手段
５      加熱手段
６Ａ    第１加湿フィルター
６Ｂ    第２加湿フィルター
７Ａ    第１加湿流路
７Ｂ    第２加湿流路
８      給水タンク
９      水槽部
１０    分流凸部
１１Ａ  第１駆動モーター
１１Ｂ  第２駆動モーター
１２Ａ  第１駆動ギア
１２Ｂ  第２駆動ギア
１３Ａ  第１受動ギア
１３Ｂ  第２受動ギア
２１Ａ  第１吹出口
２１Ｂ  第２吹出口
２４Ａ  中間ギア
２４Ｂ  中間ギア
【図１】
2008070047.tif 000003
【図２】
2008070047.tif 000004
【図３】
2008070047.tif 000005
【図４】
2008070047.tif 000006
【図５】
2008070047.tif 000007
【図６】
2008070047.tif 000008
【図７】
2008070047.tif 000009